(57)【要約】【課題】  専用の遮光部材を設けることなく、ファインダ逆入射光の撮影光路への漏洩を防止する。【解決手段】  ペンタプリズム１２の第三反射面１２ｂを調光ミラー面とする。少なくとも撮影待ち状態では、第三反射面を反射状態とし、被写体観察を可能とする。少なくとも撮影時には、第三反射面１２ｂを透過状態とする。これによりファインダ接眼窓１４からの逆入射光が第三反射面１２ｂを透過するので、撮影光路への漏洩が防止される。面１２ｂを透過した光束が照射される箇所１０ａには反射防止措置を施すことが望ましい。【選択図】        図２
2008224800.tif 000002
【特許請求の範囲】
【請求項１】
撮影レンズを透過した被写体光束を接眼窓から射出するためのファインダ光学系を有するカメラにおいて、
前記ファインダ光学系は、前記接眼窓にて被写体光束の観察を可能とする第１の状態と、前記接眼窓からの逆入射光が撮影光路に導かれるのを阻止する第２の状態とに切換えるために反射状態と透過状態のいずれかに選択的に特性が変更可能な光学部材を含むことを特徴とするカメラ。
【請求項２】
少なくとも撮影待ち時には前記光学部材を第１の状態とし、少なくとも撮影時には前記光学部材を前記第２の状態とすることを特徴とする請求項１に記載のカメラ。
【請求項３】
少なくとも撮影待ち時には前記光学部材を第１の状態とし、少なくともセルフタイマ撮影時，遠隔操作による撮影時またはスルー画表示時には前記光学部材を前記第２の状態とすることを特徴とする請求項１に記載のカメラ。
【請求項４】
連写中には前記光学部材を前記第１の状態に保持し続けることを特徴とする請求項１〜３のいずれか１項に記載のカメラ。
【請求項５】
前記第１の状態は反射状態であり、前記第２の状態は透過状態であることを特徴とする請求項１〜４のいずれか１項に記載のカメラ。
【請求項６】
撮影レンズを透過した被写体光束を反射するミラー部材と、
前記ミラー部材の反射光を複数回反射させて正立像として接眼部に導く反射光学系とを備えたカメラにおいて、
前記反射光学系のいずれかの反射面を、反射状態と透過状態に切換可能な調光ミラー面としたことを特徴とするカメラ。
【請求項７】
少なくとも撮影待ち時には前記調光ミラー面を前記反射状態とし、少なくとも撮影時には前記調光ミラー面を前記透過状態とすることを特徴とする請求項６に記載のカメラ。
【請求項８】
少なくとも撮影待ち時には前記調光ミラー面を前記反射状態とし、少なくともセルフタイマ撮影時，遠隔操作による撮影時またはスルー画表示時には前記調光ミラー面を前記透過状態とすることを特徴とする請求項６に記載のカメラ。
【請求項９】
連写中には前記調光ミラー面を前記反射状態に保持し続けることを特徴とする請求項６〜８のいずれか１項に記載のカメラ。
【請求項１０】
前記透過状態にある調光ミラー面を透過した光が照射される部位には、反射防止措置が施されていることを特徴とする請求項６〜９のいずれか１項に記載のカメラ。
【請求項１１】
前記反射光学系は、ペンタダハプリズムまたはペンタダハミラーであることを特徴とする請求項６〜１０のいずれか１項に記載のカメラ。
【発明の詳細な説明】
【技術分野】
【０００１】
本発明は、ファインダ接眼部からの逆入射光による悪影響を防止したカメラに関する。
【背景技術】
【０００２】
ファインダ内に透過率可変型表示素子を設け、露光時は透過率可変型表示素子を不透明化することで、撮影時にファインダ接眼部からの逆入射光が撮影光路内に漏洩するのを防止したカメラがある（例えば、特許文献１参照）。
【０００３】
【特許文献１】特開平５−２４１２２９号公報
【発明の開示】
【発明が解決しようとする課題】
【０００４】
しかしながら、特許文献１のカメラでは、逆入射光の漏光を防止するための専用の遮光部材（透過率可変型表示素子）をファインダ内に新たに設ける必要があり、部品点数の増加となる。
【課題を解決するための手段】
【０００５】
本発明に係るカメラは、撮影レンズを透過した被写体光束を接眼窓から射出するためのファインダ光学系を有するカメラであって、ファインダ光学系は、接眼窓にて被写体光束の観察を可能とする第１の状態と、接眼窓からの逆入射光が撮影光路に導かれるのを阻止する第２の状態とに切換えるために反射状態と透過状態のいずれかに選択的に特性が変更可能な光学部材を含む。
他の発明に係るカメラは、撮影レンズを透過した被写体光束を反射するミラー部材と、ミラー部材の反射光を複数回反射させて正立像として接眼部に導く反射光学系とを備えたカメラであって、反射光学系のいずれかの反射面を、反射状態と透過状態に切換可能な調光ミラー面としたことを特徴とする。
【発明の効果】
【０００６】
本発明によれば、反射状態と透過状態とに切換可能な部材を用いることで、漏光を防止するための専用の部材を新たに設ける必要がなくなる。
【発明を実施するための最良の形態】
【０００７】
図１〜図３により本発明の一実施の形態を説明する。
図１は本実施形態における一眼レフタイプのデジタルカメラを示す概略構成図である。撮影レンズ２０を透過した被写体光束は、カメラボディ１０内のメインミラー（ハーフミラー）１１Ａで一部が反射され、ファインダ光学系を構成するペンタダハプリズム（以下、ペンタプリズム）１２に入射する。ペンタプリズム１２に入射した光束は、周知のごとく一対のダハ面１２ａと、第三反射面と呼ばれる前側の面１２ｂで順に反射され、接眼レンズ１３を介して接眼窓１４から観察される。接眼窓１４には保護ガラス１５が嵌め込まれている。メインミラー１１Ａとペンタプリズム１２とで合計４回の反射が行われるため、観察される像は正立正像となる。
【０００８】
一方、メインミラー１１Ａを透過した光束は、一部がサブミラー１１Ｂで反射されて焦点検出モジュール１６に導かれ、焦点検出に寄与する。
【０００９】
ミラー１１がアップしてシャッタ１７が開放されると、撮影レンズ２０の透過光束はシャッタ１７を通過して撮像素子（光電変換素子）１８に導かれ、露光が行われる。撮像素子１８の出力信号に種々の画像処理が施されて画像データが生成され、不図示の記録媒体に記録される。
【００１０】
とろこで、この種の一眼レフタイプのカメラでは、図３に示すように接眼窓１４から入射した外部の光（以下、逆入射光）が、ペンタプリズム１２の第三反射面１２ｂおよびダハ面１２ａを順に介して撮影光路に漏洩し、撮影画像に悪影響を与えるおそれがある。この撮影光路への不所望な漏光を防止するために、本実施形態では、ペンタプリズム１２の第三反射面１２ｂを調光ミラー面とした。
【００１１】
一般に第三反射面は、ペンタプリズム１２の該当する面１２ａに銀蒸着等を施すことで形成されるが、本実施形態では、面１２ｂに調光ミラー薄膜材料（例えば、特開２００３−３３５５５３号公報）をコーティングすることで調光ミラー面とする。調光ミラー薄膜材料は、基板１９（図１）から電気信号を入力することで反射状態と透明状態とに切換可能である。
【００１２】
少なくとも撮影待ち状態では、調光ミラー面１２ｂ（調光ミラー薄膜材料）を反射状態とする。撮影待ち状態とは、撮影モードでかつ撮影が行われていない状態、つまり撮影者がファインダを覗いて構図合わせを行う可能性がある状態である。このときに調光ミラー面１２ｂを反射状態とすることで、面１２ｂが本来の第三反射面として機能し、メインミラー１１での反射光を接眼窓１３から問題なく確認できる。なお、このとき接眼窓１４からの逆入射光が撮影光路に漏洩するおそれがあるが、撮影を行わないので問題はない。
【００１３】
一方、少なくとも撮影時、つまり撮像素子１８による露光中は、調光ミラー面１２ｂを透過状態とする。これにより、接眼窓１４からの逆入射光は、図３に示すように調光ミラー面１２ｂを透過するので、ダハ面１２ａを介しての撮影光路への漏光が抑制される。なお、調光ミラー面１２ｂを透過状態とすることで、面１２ｂは本来の第三反射面として機能しなくなるが、もともと露光中はメインミラー１１がアップしており、被写体光束はファインダ部には導かれないたいめ、面１２ｂが第三反射面として機能しなくても何ら問題はない。
【００１４】
ここで、調光ミラー面１２ｂを透過した光が何らかの経路で撮影光路に入射しないように、その透過光が照射される部分（ボディカバーの裏面）１０ａには、例えば黒色の植毛紙や黒色のつや消し塗料などの反射防止措置を施すことが望ましい。
【００１５】
上記反射／透過の具体的な切換タイミングとしては、例えばレリーズボタンの操作（撮影操作）に応答して調光ミラー面１２ｂを反射状態から透過状態に切換え、しかる後にミラーアップして露光を行い、露光終了後に調光ミラー面１２ｂを反射状態に戻す制御が考えられる。あるいは、ミラーアップを検出して調光ミラー面１２ｂを反射状態から透過状態に切換え、露光終了後、ミラーダウンを検出して調光ミラー面１２ｂを反射状態に戻すようにしてもよい。
【００１６】
このように本実施形態では、ペンタプリズム１２の第三反射面１２ｂを調光ミラー面としたので、従来のような別部材（別の光学部材）としての透過率可変型表示素子や液晶シャッタを追加することなく逆入射光による悪影響を防止できる。すなわち、調光ミラーのような透過と反射の切換えが可能な部材は、必要時には撮影光路への漏光防止部材として機能し、漏光を防止する必要がないときには、本来のミラー部材（ここでは、第三反射面）として機能させることができるから、漏光防止用の部材を別に設ける必要がない。これに対して従来の液晶シャッタなどは、透過と非透過に切換可能であるが、非透過は反射ではないため、これらはファインダの他の部材と兼用させることはできない。
【００１７】
なお連写の際は、露光ごとに調光ミラー面１２ｂの状態を切換えていると、その状態変化速度によっては駒速が低下するおそれがあるため、少なくとも連写中は調光ミラー面１２ｂの切換えを行わないようにすることが望ましい。この場合、調光ミラー面１２ｂを透過状態に保持すると、露光の合間に被写体像を確認できなくなるため、調光ミラー面１２ｂを反射状態に保持し続けることが望ましい。
【００１８】
以上では、露光時には必ず調光ミラー面１２ｂを透過状態とするようにしたが、通常の撮影時は、接眼窓１４を撮影者の顔が塞ぐ格好となるので、接眼窓１４からの逆入射は起こりにくい。逆入射が懸念されるのは、主にセルフタイマ撮影時やリモコン撮影のように撮影者がファインダを覗かずに撮影するときである。そこで、通常撮影時には調光ミラー面１２ｂを反射状態に保持し、セルフタイマ撮影やリモコン撮影が指示されたときにのみ調光ミラー面１２ｂを透過状態に切換えるようにしてもよい。
【００１９】
また、所定の周期で露光を繰り返し、その都度得られる画像を液晶モニタ等に逐次更新表示する機能を持つデジタルカメラがある。この機能はスルー画表示あるいはライブビューなどと呼ばれ、撮影者はそのスルー画を見て構図合わせを行うことができる。スルー画による構図合わせを行っているときは、接眼窓１４が撮影者の顔によって塞がれていないので、逆入射が懸念される。そこで、スルー画表示時には、調光ミラー面１２ｂを常に透過状態にしておくことが望ましい。
【００２０】
なお、以上ではペンタプリズム１２の第三反射面１２ｂを調光ミラー面としたが、ダハ面１２ａを調光ミラー面としてもよい。あるいは、ペンタプリズム１２の接眼レンズ１３に面した面１２ｃ（図２）や、接眼レンズ１３、保護ガラス１５に調光ミラー薄膜材料をコーティングするようにしてもよい。この場合は、少なくとも撮影待ち時には調光ミラー薄膜材料を透過状態とし、少なくとも撮影時には調光ミラー薄膜材料を反射状態とする。また、調光ミラー薄膜材料は、一箇所（一面）にコーティングしてもよいし、同一部材の複数箇所（複数面）にコーティングしてもよい。さらに、複数の部材（例えば、ペンタプリズム１２の第三反射面１２ｂと保護ガラス１５）にコーティングしてもよい。
【図面の簡単な説明】
【００２１】
【図１】本発明に係るカメラの概略構成図であり、ミラーダウン状態を示す。
【図２】図１と同様の図であり、ミラーアップ状態を示す。
【図３】接眼窓からの逆入射光が撮影光路に漏洩する経路を説明する図。
【符号の説明】
【００２２】
１１ａ  メインミラー
１２  ペンタプリズム
１２ａ  ダハ面
１２ｂ  第三反射面
１３  接眼レンズ
１４  接眼窓
１５  保護ガラス
２０  撮影レンズ
【図１】
2008224800.tif 000003
【図２】
2008224800.tif 000004
【図３】
2008224800.tif 000005